(57)【要約】【課題】従来の経路案内表示装置は予め所定領域に係る情報を表示させた道案内板装置のＩＣカード読み取り部に目的地の情報を記憶させたＩＣカードをかざすと道案内板装置の情報を読み取り、経路案内するようになっていたために、予め所定領域に係る情報を使用する領域ごとに位置図面として準備する必要があった。【解決手段】本発明の経路案内表示装置は、複数の発光素子がマトリクス状に配列された発光素子アレイからなる表示部を用いた経路案表示装置において、表示装置から分離された携帯可能で送信および受信可能な携帯通信機からの信号を受信可能な通信部と、表示部の設置位置に応じた経路情報を記憶した記憶部と、携帯通信機からの受信情報と記憶部に格納した情報を用いて、表示部の発光素子アレイの発光を制御する制御部と、制御部の制御信号に従って表示部を駆動する表示駆動部と、通信部、表示駆動部、記憶部、表示部に電力を供給する電源部からなる。【選択図】図１
2019082980.tif 000002
【特許請求の範囲】
【請求項１】
複数の発光素子がマトリクス状に配列された発光素子アレイからなる表示部を用いた経路案内表示装置において、
前記表示装置から分離された携帯可能で送信および受信可能な携帯通信機からの信号を受信可能な通信部と、
前記表示部の設置位置に応じた経路情報を含む情報を記憶した記憶部と、
前記携帯通信機からの受信情報と前記記憶部に格納した情報を用いて、前記表示部の発光素子アレイの発光を制御する制御部と、
前記制御部の制御信号に従って表示部を駆動する表示駆動部と、
前記通信部、表示駆動部、記憶部、表示部に電力を供給する電源部、
からなることを特徴とする経路案内表示装置。
【請求項２】
請求項１記載の経路案内表示装置において、前記記憶部に記憶させる経路情報は、目的地と前記表示部の位置に応じた方角情報、場所名情報、距離情報、到達時間情報のいずれか一つ以上を含むことを特徴とする経路案内表示装置。
【請求項３】
請求項１記載の経路案内表示装置において、前記表示部、通信部、表示駆動部、記憶部、制御部および電源部は一体として形成されていることを特徴とする経路案内表示装置。
【請求項４】
請求項１記載の経路案内表示装置において、前記制御部は前記通信部が受信した携帯通信機の信号強度を計測可能で、時系列の受信信号強度が強くなり、かつ受信信号強度があらかじめ設定した信号強度以上になったとき、前記表示部に経路情報を表示させるよう制御することを特徴とする経路案内表示装置。
【請求項５】
請求項１および請求項４記載の経路案内表示装置において、前記制御部は前記表示部に経路情報を表示指示した後、通信部が受信した携帯通信機の時系列の信号強度が弱くなり、かつ該信号強度があらかじめ設定した信号強度以下になったとき、前記表示部に経路情報を表示させないよう制御することを特徴とする経路案内表示装置。
【発明の詳細な説明】
【技術分野】
【０００１】  本発明は、目的地までの経路を案内、表示する経路案内表示装置に関する。
【背景技術】
【０００２】  従来のこの種の技術は、例えば特許文献１に開示されているように、予め所定領域に係る情報を表示させた道案内板装置のＩＣカード読み取り部に目的地の情報を記憶させたＩＣカードをかざすと道案内板装置の情報を読み取り、経路案内するようになっていた。また特許文献２に開示されているように、電子端末を利用して、無線通信で表示装置に所望の表示内容の情報を送信し、表示させるようになっていた。
【先行技術文献】
【特許文献】
【０００３】
【特許文献１】特開２０１０−７９７８４号公報
【特許文献２】特開２０１７−９０８２６号公報
【発明の概要】
【発明が解決しようとする課題】
【０００４】  特許文献１記載の方法は予め所定領域に係る情報を表示させた道案内板装置のＩＣカード読み取り部に目的地の情報を記憶させたＩＣカードをかざすと道案内板装置の情報を読み取り、経路案内するようになっていたために、予め所定領域に係る情報を準備し、位置図面として準備する必要があり、使用する領域ごとに情報を準備する必要があり、また特許文献２に開示されている方法は、電子端末を利用して、無線通信で表示装置に所望の表示内容の情報を送信し、表示させるようになっているだけで、単に電子端末操作者が意図する情報を表示装置に提供するだけで、目的地までの経路を案内、表示できないという課題があった。
【課題を解決するための手段】
【０００５】  本発明は、上記のような課題を解決するためになされたもので、本発明の経路案内表示装置は、複数の発光素子がマトリクス状に配列された発光素子アレイからなる表示部を用いた経路案表示装置において、前記表示装置から分離された携帯可能で送信および受信可能な携帯通信機からの信号を受信可能な通信部と、前記表示部の設置位置に応じた経路情報を記憶した記憶部と、前記携帯通信機からの受信情報と前記記憶部に格納した情報を用いて、前記表示部の発光素子アレイの発光を制御する制御部と、前記制御部の制御信号に従って表示部を駆動する表示駆動部と前記通信部、表示駆動部、記憶部、表示部に電力を供給する電源部とからなることを特徴とする。【０００６】  また、本発明の経路案内表示装置は、前記記憶部に記憶させる経路情報は、目的地と前記表示装置の位置に応じた方角情報、場所名情報、距離情報、到達時間情報のいずれか一つ以上を含むことを特徴とする【０００７】  更に、本発明の経路案内表示装置は、前記表示部、通信部、表示駆動部、記憶部、制御部および電源部は一体として形成されていることを特徴とする。【０００８】  また、本発明の経路案内表示装置は、前記制御部は前記通信部が受信した携帯通信機の信号強度を計測可能で、時系列の受信信号強度が強くなり、かつ受信信号強度があらかじめ設定した信号強度以上になったとき、前記表示部に経路情報を表示させるよう制御することを特徴とする。【０００９】  また、本発明の経路案内表示装置は、前記制御部は前記表示部に経路情報を表示指示した後、通信部が受信した携帯通信機の時系列の信号強度が弱くなり、かつ該信号強度があらかじめ設定した信号強度以下になったとき、前記表示部に経路情報を表示させないよう制御することを特徴とする。
【発明の効果】
【００１０】  本発明によれば、表示装置毎に設置された所定の位置情報の地理情報を表示する必要がなく、表示装置の設置位置に関わらず、数値を含む文字情報および進行方向を示す矢印表示だけを用いた単純な表示で済む経路案内表示装置を提供できる。
【図面の簡単な説明】
【００１１】
【図１】本発明の実施形態に係る経路案内表示装置のブロック図である。
【図２】本発明の実施形態に係る経路案内表示装置の表示部を示す図である。
【発明を実施するための形態】
【００１２】  以下、本発明の実施形態について添付図面を参照しながら説明する。図１は本発明の実施形態に係る経路案内表示装置のブロック図、図２は経路案内表示装置の表示部を示す図である。
【００１３】  図１に示すように、経路案内表示装置１０はコンセント２０からの電源を供給する電源部１と外部携帯通信機器（図示せず）と通信可能な通信部２、複数の発光素子がマトリクス状に配列された発光素子アレイからなる表示部６と表示部を駆動する表示駆動部５、表示部の設置位置に応じた経路情報を含む情報を記憶した記憶部４と、記憶部４情報と外部携帯通信機器から送信された外部情報とを使って表示部６の表示内容を制御する制御部３とからなる。なお本実施形態では通信部２と外部携帯通信機器の通信アンテナを経路案内表示装置１０外に図示しているが、アンテナは経路案内表示装置１０内に設置してもよい。また、電源部１も経路案内表示装置外１０から引き込むように図示しているが、太陽電池などを利用して経路案内表示装置に組み込んでも良い。
【００１４】  経路案内表示装置１０の表示部６は図２に示すような表示を行う。表示は矢印表示、英文字表示、かな表示、漢字表示、カタカナ表示などの言語表示の単独またはこれらを組み合わせたものである。
【００１５】  また表示部６の表示内容は以下のようにして制御部３で制御される。表示部６が設置されている位置事に記憶部４に経路情報を含む情報を記憶させておく。ここで経路情報を含む情報とは方角情報、場所名情報、距離情報、到達時間情報のいずれか一つ以上を含む情報である。ここで場所名情報としては地名だけでなく、商店内の商品名、病院内の医療部署名などを利用することができる。
【００１６】  経路案内表示装置の利用者は外部携帯通信機器を操作し、目標となる地点情報を送信する。その送信情報を通信部２で受信し、記憶部４の経路情報を含む情報とを利用して、利用者が目的とする地点に対応する方角情報、場所名情報、距離情報、到達時間情報のいずれか一つ以上を表示させるように制御部が表示駆動部を制御し、表示部に表示させる。
【００１７】  また、制御部は通信部が受信した外部携帯通信機の信号強度を計測することが可能で、時系列の受信信号強度が強くなり、かつ受信信号強度があらかじめ設定した閾信号強度以上になったとき、前記表示部に経路情報を表示させるよう制御する。
【００１８】  更に、制御部は表示部に経路情報を表示指示した後、通信部が受信した外部携帯通信機の時系列の信号強度が弱くなり、かつ信号強度があらかじめ設定した信号強度以下になったとき、表示部に経路情報を表示させないよう制御する。
【００１９】  このように表示部が制御されるために、必要以上に遠隔の外部携帯通信機器からの信号には経路案内表示装置が応答することがなし、表示部を確認し、表示部から遠ざかる利用者に対しては表示をさせず、節電することができる。
【符号の説明】
【００２０】  １・・電源部
２・・通信部
３・・制御部
４・・記憶部
５・・表示駆動部
６・・表示部
７・・送受信アンテナ
１０・・経路案内表示装置
２０・・コンセント
【図１】
2019082980.tif 000003
【図２】
2019082980.tif 000004